(57)【要約】【課題】貯湯されている貯湯槽本体内に注入される湯流や給水される水流を十分に緩和することが可能な貯湯槽およびこれを備えた給湯装置を提供することを目的とする。【解決手段】湯が貯湯される竪型の筒形状の貯湯槽本体９ａと、貯湯槽本体９ａの上方端部に設けられて、貯湯槽本体９ａの外側に湾曲する上部鏡板９ｂと、貯湯槽本体９ａの下方端部に設けられて、貯湯槽本体９ａの外側に湾曲する下部鏡板９ｃと、上部鏡板９ｂに設けられて、貯湯槽本体９ａ内に湯を注入する注入口７と、下部鏡板９ｃに設けられて、貯湯槽本体９ａ内に水を給水する給水口８と、注入口７および給水口８に対向するように貯湯槽本体９ａ内に設けられて注入口７および給水口８から導かれた湯または水の流れ方向を上部鏡板９ｂまたは下部鏡板９ｃに向かうように偏向する偏向部材１０ａ、１０ｂと、を備えることを特徴とする。【選択図】図２
2012037198.tif 000002
【特許請求の範囲】
【請求項１】
湯が貯湯される竪型の筒形状の貯湯槽本体と、
該貯湯槽本体の上方端部に設けられて、該貯湯槽本体の外側に湾曲する上部鏡板と、
前記貯湯槽本体の下方端部に設けられて、該貯湯槽本体の外側に湾曲する下部鏡板と、
前記上部鏡板に設けられて、前記貯湯槽本体内に湯を注入する注入口と、
前記下部鏡板に設けられて、前記貯湯槽本体内に水を給水する給水口と、
前記注入口および前記給水口に対向するように前記貯湯槽本体内に設けられて前記注入口および前記給水口から導かれた湯または水の流れ方向を前記上部鏡板または前記下部鏡板に向かうように偏向する偏向部材と、を備える貯湯槽。
【請求項２】
前記偏向部材は、前記注入口および前記給水口に向かって凹形状となる杯形状を成す請求項１に記載の貯湯槽。
【請求項３】
前記偏向部材の杯形状は、水平方向に対して５°から４５°の傾斜を成すように形成される請求項２に記載の貯湯槽。
【請求項４】
請求項１から請求項３のいずれかに記載の貯湯槽を備えた給湯装置。
【発明の詳細な説明】
【技術分野】
【０００１】
本発明は、貯湯槽およびこれを備えた給湯装置に関するものである。
【背景技術】
【０００２】
一般に、貯湯槽本体内の湯水は、温度の高い湯が上層部に貯湯されており、温度の低い水が下層部に貯水されている。それら湯と水との間には、温度生成層が形成されている。この貯湯槽本体内に湯が注入されたり水が給水された場合には、注入された湯や給水された水の勢いによる圧力伝播によって温度生成層が攪拌されて乱される。そのため、貯湯槽本体内から取水される湯の温度を一定にすることができなくなる。
【０００３】
特許文献１には、貯湯槽本体内に給水される水を左右方向に拡散する入水拡散板を貯湯槽本体内に設けることが開示されている。
特許文献２には、貯湯槽本体内に湯を注入する注入口や水を給水する給水口に連通している管部材の先端部を貯湯槽本体内に設けられている有底筒状に挿入することが開示されています。
【０００４】
特許文献３には、給水された水と貯湯槽本体内の湯とが混合することを防止する給水流緩和板を貯湯槽本体内に設けることが開示されている。
【先行技術文献】
【特許文献】
【０００５】
【特許文献１】特開２００５−２２６８５８号公報
【特許文献２】特許第４１３２０５４号公報
【特許文献３】実公昭４８−１９１６３号公報
【発明の概要】
【発明が解決しようとする課題】
【０００６】
しかしながら、特許文献１から特許文献３に記載の発明は、貯湯槽本体内に注入された湯や給水された水の流れ方向に直交するように板状部材を設けているため、貯湯槽本体内に注入された湯流や給水された水流を十分に緩和することが出来ないという問題があった。
【０００７】
本発明は、このような事情に鑑みてなされたものであって、貯湯されている貯湯槽本体内に注入される湯流や給水される水流を十分に緩和することが可能な貯湯槽およびこれを備えた給湯装置を提供することを目的とする。
【課題を解決するための手段】
【０００８】
上記課題を解決するために、本発明の貯湯槽およびこれを備えた給湯装置は、以下の手段を採用する。
すなわち、本発明に係る貯湯槽によれば、湯が貯湯される竪型の筒形状の貯湯槽本体と、該貯湯槽本体の上方端部に設けられて、該貯湯槽本体の外側に湾曲する上部鏡板と、前記貯湯槽本体の下方端部に設けられて、該貯湯槽本体の外側に湾曲する下部鏡板と、前記上部鏡板に設けられて、前記貯湯槽本体内に湯を注入する注入口と、前記下部鏡板に設けられて、前記貯湯槽本体内に水を給水する給水口と、前記注入口および前記給水口に対向するように前記貯湯槽本体内に設けられて前記注入口および前記給水口から導かれた湯または水の流れ方向を前記上部鏡板または前記下部鏡板に向かうように偏向する偏向部材と、を備えることを特徴とする。
【０００９】
貯湯槽本体内には、温度の高い湯が上層部に貯湯され温度の低い湯または水が下層部に貯水されることとなる。これら上層部と下層部との間には、温度生成層が形成される。湯や水が貯湯または貯水されている貯湯槽本体内に注入口から湯が注入されたり給水口から水が給水された場合には、注入された湯や給水された水の勢いによる圧力伝播によって温度生成層が攪拌されて乱される。そのため、貯湯槽本体内から貯湯槽本体外に給湯される湯の温度を一定にすることができなくなる。
【００１０】
そこで、注入口および給水口に対向する貯湯槽本体内に偏向部材を設けることとした。これにより、注入口から貯湯槽本体内に注入された湯や給水口から貯湯槽本体内に給水された水の流れによる圧力伝播の方向を、偏向部材によって上部鏡板または下部鏡板に向かうように偏向して拡散することができる。そのため、貯湯槽本体内に注入された湯や貯湯槽本体内に給水された水による温度生成層の攪拌を抑制することができる。したがって、貯湯槽本体内に湯を注入したり水を給水した場合であっても、貯湯槽本体外へ一定の温度の湯を給湯することができる。
【００１１】
さらに、本発明に係る貯湯槽によれば、前記偏向部材は、前記注入口および前記給水口に向かって凹形状となる杯形状を成すことを特徴とする。
【００１２】
注入口および給水口に向かって凹形状となる杯形状を成す偏向部材を貯湯槽本体内に設けることとした。これにより、注入口または給水口から貯湯槽本体内に注入された湯または給水された水の圧力伝播の方向を偏向部材の杯形状に沿った方向に偏向および拡散することができる。そのため、貯湯槽本体内に注入された湯や貯湯槽本体内に給水された水が貯湯槽本体に貯湯されている湯や水に合流する速度を減速して、温度生成層の攪拌を抑制することができる。したがって、貯湯槽本体内に湯を注入したり水を給水した場合であっても、貯湯槽本体外へ一定の温度の湯を給湯することができる。
【００１３】
さらに、本発明に係る貯湯槽によれば、前記偏向部材の杯形状は、水平方向に対して５°から４５°の傾斜を成すように形成されることを特徴とする。
【００１４】
水平方向に対して５°から４５°の傾斜を成すように形成される杯形状の偏向部材を用いることとした。偏向部材によって偏向および拡散された湯や水の圧力伝播の方向には、上部鏡板または下部鏡板が存在する。また、上部鏡板または下部鏡板は、貯湯槽本体の外側に湾曲している。そのため、偏向および拡散された湯や水の圧力伝播は、上部鏡板または下部鏡板に衝突してその方向が上部鏡板または下部鏡板の接線方向に再偏向および再拡散される。したがって、再偏向および再拡散された湯や水が貯湯槽本体内に貯湯されている湯や水に合流する速度を更に低減して、温度生成層の攪拌を一層抑制することができる。
【００１５】
さらに、本発明に係る給湯装置によれば、上記のいずれかに記載の貯湯槽を備えたことを特徴とする。
【００１６】
湯や水が貯湯されている貯湯槽本体内に湯を注入したり水を給水した場合であっても、一定の温度の湯を貯湯槽本体外へ導出することができる貯湯槽を用いることとした。したがって、給湯装置から常に一定温度の給湯をすることができる。
【発明の効果】
【００１７】
注入口および給水口に対向する貯湯槽本体内に偏向部材を設けることとした。これにより、注入口から貯湯槽本体内に注入された湯や給水口から貯湯槽本体内に給水された水の流れによる圧力伝播の方向を、偏向部材によって上部鏡板または下部鏡板に向かうように偏向して拡散することができる。そのため、貯湯槽本体内に注入された湯や貯湯槽本体内に給水された水による温度生成層の攪拌を抑制することができる。したがって、貯湯槽本体内に湯を注入したり水を給水した場合であっても、貯湯槽本体外へ一定の温度の湯を給湯することができる。
【図面の簡単な説明】
【００１８】
【図１】本発明の一実施形態に係る貯湯槽を備えた給湯装置の概略構成図である。
【図２】図１に示した貯湯槽の縦断面概略構成図である。
【発明を実施するための形態】
【００１９】
図１は、本発明の一実施形態に係る貯湯槽を備えた給湯装置の概略構成図を示している。
給湯装置１は、複数の貯湯槽３と、循環用貯湯槽４と、ヒートポンプ２と、循環ポンプ５と、混合弁６と、を備えている。
【００２０】
貯湯槽３は、竪型の円筒状とされている。貯湯槽３は、ヒートポンプ２によって加熱されて高温となった湯を貯湯するものである。貯湯槽３は、複数、例えば６槽設けられている。各貯湯槽３間は、各々給湯管２０によって直列に連結されている。
【００２１】
循環用貯湯槽４は、後述する循環給湯回路３５から導かれた低温の湯を貯湯するものである。循環用貯湯槽４は、貯湯槽３と同形、同構造とされている。循環用貯湯槽４には、後述する第２原水供給路４０と分岐循環給湯回路３７とが接続されている。
【００２２】
ヒートポンプ２は、導かれた低温の水（以下、「原水」という。）を加熱して高温の湯として導出するものである。ヒートポンプ２の上流側には、水道水などの原水を供給する原水供給路３０が接続されている。ヒートポンプ２の下流側には、ヒートポンプ２によって加熱されて例えば９０℃の高温になった湯が導かれる貯湯用循環流路３１が接続されている。
【００２３】
循環ポンプ５は、循環給湯回路３５内の湯を循環給湯回路３５内に循環させるものである。循環ポンプ５によって循環給湯回路３５内を湯が循環することによって、循環給湯回路３５内の湯温の低下を防止することができる。
【００２４】
混合弁６は、後述する給湯路３２から導かれた高温の湯と、後述する中温抽出路３３から導かれた中温の湯または分岐循環給湯回路３７から導かれた低温の湯とを混合して所定の湯温に調整するものである。混合弁６によって所定の湯温に調整された湯は、循環給湯回路３５へと導出される。
【００２５】
図２には、貯湯槽３の縦断面概略構成図が示されている。
なお、ここでは、各貯湯槽３ａ、３ｂ、３ｃ、３ｄ、３ｅ、３ｆおよび循環用貯湯槽４は、同形、同構造であるため貯湯槽３ｆについて説明し、残りの貯湯槽３ａ、３ｂ、３ｃ、３ｄ、３ｅおよび循環用貯湯槽４については、その説明を省略する。
【００２６】
貯湯槽３ｆは、湯が貯湯される竪型の筒形状の貯湯槽本体９ａと、貯湯槽本体９ａの上方端部に設けられて、貯湯槽本体９ａの外側に湾曲する上部鏡板９ｂと、貯湯槽本体９ａの下方端部に設けられて、貯湯槽本体９ａの外側に湾曲する下部鏡板９ｃと、上部鏡板９ｂに設けられて、貯湯槽本体９ａ内に湯を注入する注入口７と、下部鏡板９ｃに設けられて、貯湯槽本体９ａ内に原水を給水する給水口８と、注入口７および給水口８に対向するように貯湯槽本体９ａ内に設けられて注入口７または給水口８から導かれた湯または原水の流れ方向を上部鏡板９ｂまたは下部鏡板９ｃに向かうように偏向する偏向部材１０と、を備えている。
【００２７】
貯湯槽本体９ａは、上下端が開口している筒形状を成している。筒形状の貯湯槽本体９ａは、その軸方向が鉛直方向になるように設けられている竪型である。貯湯槽本体９ａは、筒形状の上方端部が上部鏡板９ｂによって封止されており、下方端部が下部鏡板９ｃによって封止されている。上部鏡板９ｂおよび下部鏡板９ｃは、貯湯槽本体９ａの外側に向かって緩やかに湾曲している。貯湯槽本体９ａは、例えば、軸方向の長さが１８００ｍｍ、内径が６５４ｍｍとされている。
【００２８】
注入口７は、貯湯槽本体９ａに接続されている上部鏡板９ｂの中央部に設けられている。注入口７は、貯湯槽本体９ａ内に湯を注入したり、貯湯槽本体９ａ内に貯湯されている湯を取水する開口である。注入口７には、貯湯槽本体９ａ内に注入する湯を導いたり、貯湯槽本体９ａ内から取水された湯を導く給湯管２０ｆ（図１参照）が接続されている。
【００２９】
給水口８は、貯湯槽本体９ａに接続されている下部鏡板９ｃの中央部に設けられている。給水口８は、貯湯槽本体９ａ内に原水を給水したり、貯湯槽本体９ａ内に貯水されている原水を取水する開口である。給水口８には、貯湯槽本体９ａ内に給水する原水を導いたり、貯湯槽本体９ａ内から取水された原水を導く第１原水供給路３９（図１参照）が接続されている。
【００３０】
貯湯槽３ｆの貯湯槽本体９ａ内には、第１原水供給路３９から原水が加圧されながら供給される。これによって、貯湯槽３ｆの貯湯槽本体９ａは、その内部の加圧状態が維持されることとなる。注入口７に接続されている給湯管２０ｆおよび給水口８に接続されている第１原水供給路３９は、例えば、呼び径が２５Ａから３２Ａの大きさが好適である。
【００３１】
偏向部材１０は、注入口７に対向するように貯湯槽本体９ａ内に設けられている偏向部材１０ａと、給水口８に対向するように貯湯槽本体９ａ内に設けられている偏向部材１０ｂとを有している。各偏向部材１０ａ、１０ｂは、注入口７または給水口８に向かってそれぞれ凹形状となる杯形状を成している。すなわち、偏向部材１０ａは、開口端が注入口７に向かい、偏向部材１０ｂは、開口端が給水口８に向かっていることとなる。
【００３２】
ここでは、偏向部材１０ａと偏向部材１０ｂとは、同形状であるため偏向部材１０ａについて説明し、偏向部材１０ｂについてはその説明を省略する。
偏向部材１０ａは、図２に示すように、その縦断面形状がＶ字形状となる杯形状を成している。偏向部材１０ａの杯形状は、水平方向に対して５°から４５°の傾斜を成すＶ字形状となっている。なお、Ｖ字形状を形成している傾斜角度としては、３０°が好適である。また、偏向部材１０ａの開口端における内径は、給湯管２０ｆ（図１参照）の呼び径の３倍以上が好適である。
【００３３】
偏向部材１０ａの開口端には、上部鏡板９ａに向かって開口端から延直上方に延在している３本（図２では、２本のみを示す。）の支持脚１１が接続されている。この支持脚１１によって、偏向部材１０ａは、貯湯槽本体９ａ内に支持されることとなる。各支持脚１１の長さとしては、偏向部材１０ａの凸形状の頂点から上部鏡板７の外側の凸形状の頂点までの距離が給湯管２０ｆの呼び径の２倍以上となる長さが好適である。
なお、支持脚１１は、ここでは、３本として説明したが、３本以上であれば良い。
【００３４】
次に、注入、給水および給湯の際の流れについて、図１を用いて説明する。
まずは、各貯湯槽３ａ、３ｂ、３ｃ、３ｄ、３ｅ、３ｆおよび循環用貯湯槽４に湯を注入および原水を給水する場合の流れについて説明する。
水道水などの原水が原水供給路３０を経てヒートポンプ２に供給される。原水供給路３０は、その途中位置で分岐している。そのため、原水の一部は、第１原水供給路３９へと導かれる。
【００３５】
原水供給路３０からヒートポンプ２に導かれた原水は、ヒートポンプ２によって加熱されて例えば９０℃の高温の湯とされる。ヒートポンプ２によって高温になった湯は、貯湯用循環流路３１へと導出される。貯湯用循環流路３１に導出された高温の湯は、直列に連結されている複数の貯湯槽３のうち最上流側の貯湯槽３ａに接続されている注入管２０ａへと導かれる。
【００３６】
注入管２０ａに導かれた高温の湯は、貯湯槽３ａに導かれる。貯湯槽３ａに導かれた高温の湯は、貯湯槽３ａの上部鏡板９ｂ（図２参照）に設けられている注入口７（図２参照）から貯湯槽３ａ内へと注入される。貯湯槽３ａ内に導かれた高温の湯は、各貯湯槽３ａ、３ｂ、３ｃ、３ｄ、３ｅ、３ｆを接続している注入管２０ｂ、２０ｃ、２０ｄ、２０ｅ、２０ｆを介して各貯湯槽３ｂ、３ｃ、３ｄ、３ｅ、３ｆへと導かれて貯湯される。
【００３７】
このうち、貯湯槽３ｆに導かれた高温の湯が貯湯槽３ｆの上部鏡板９ｂに設けられている注入口７から貯湯槽３ｆの内部へと注入されて貯湯槽３ｆ内の上層部５０（図２参照）に貯湯される。
【００３８】
第１原水供給路３９へと導かれた原水は、その一部が循環用貯湯槽４に接続されている第２原水供給路４０へと導かれる。第２原水供給路４０から循環用貯湯槽４に導かれた原水は、循環用貯湯槽４の下部鏡板９ｃ（図２参照）に開口している給水口８（図２参照）から循環用貯湯槽４内に給水される。給水口８から循環用貯湯槽４内に給水された原水は、循環用貯湯槽４内の下層部５１（図２参照）に貯水される。
【００３９】
第１原水供給路３９の残りの原水は、貯湯槽３ｆへと導かれる。貯湯槽３ｆに導かれた原水は、貯湯槽３ｆの下部鏡板９ｃ（図２参照）に設けられている給水口８（図２参照）から貯湯槽３ｆ内に給水される。給水口８から貯湯槽３ｆ内に給水された原水は、貯湯槽３ｆ内の下層部５１（図２参照）に貯水される。これにより、貯湯槽３ｆ内の上層部５０には、９０℃の湯が貯湯されて、下層部５１（図２参照）には、原水が貯水されて、上層部５０と下層部５１との間には、温度境界層５２（図２参照）が形成されることとなる。
【００４０】
次に各貯湯槽３ａ、３ｂ、３ｃ、３ｄ、３ｅ、３ｆおよび循環用貯湯槽４から給湯装置１外へ給湯する場合の流れについて説明する。
貯湯槽３ａに貯湯されている高温の湯は、貯湯槽３ａの上部鏡板９ｂ（図２参照）に接続されている給湯管２０ａに導出される。給湯管２０ａに導出された高温の湯は、給湯管２０ａを経て給湯路３２に合流する。
【００４１】
貯湯槽３ａ内の高温の湯が給湯管２０ａに導出されることによって、貯湯槽３ａの下流側に接続されている給湯管２０ｂを経て貯湯槽３ｂ内の高温の湯が貯湯槽３ａの下部鏡板９ｃ（図２参照）に設けられている給水口８（図２参照）から貯湯槽３ａ内へと導かれる。各貯湯槽３ｂ、３ｃ、３ｄ、３ｅ内にも同様に各給湯管２０ｃ、２０ｄ、２０ｅ、２０ｆを経て貯湯槽３ｃ、３ｄ、３ｅ、３ｆから高温の湯が導かれる。
【００４２】
給湯管２０ａに導出された高温の湯（例えば９０℃）は、給湯路３２へと導かれる。給湯路３２に導かれた高温の湯は、混合弁６へと導かれる。混合弁６に導かれた高温の湯は、中温抽出路３３から導かれた中温の湯や分岐循環給湯回路３７から導かれた低温の湯（例えば６０℃）と混合される。混合弁６によって混合された湯は、所定の湯温（例えば、６５℃）に調節されて循環給湯回路３５へと導出される。
【００４３】
循環給湯回路３５に導出された所定の湯温の湯は、循環給湯回路３５上の途中位置に設けられている混合水栓などの出湯用端末３６から給湯装置１外へと給湯される。また、循環給湯回路３５内の湯の一部は、出湯用端末３６の下流側の循環給湯回路３５上に設けられている循環ポンプ５へと導かれる。
【００４４】
循環ポンプ５に導かれた所定の湯温の湯は、循環ポンプ５によって昇圧されて循環ポンプ５の下流側に接続されている分岐循環給湯回路３７に導出される。分岐循環給湯回路３７に導出された湯は、循環給湯回路３５を循環する際に放熱することによって湯温が例えば６０℃に下がっている。この温度の下がった低温の湯は、循環用貯湯槽４へと大半が導かれ、残りが混合弁６へと導かれる。
【００４５】
循環用貯湯槽４に導かれた低温の湯は、循環用貯湯槽４の上部鏡板９ｂ（図２参照）に設けられている注入口７（図２参照）から循環用貯湯槽４内に注入される。循環用貯湯槽４内に導かれた低温の湯は、循環用貯湯槽４内の上層部５０（図２参照）に貯湯される。これにより、循環用貯湯槽４内の上層部５０には、例えば、６０℃の湯が貯湯されて、下層部５１（図２参照）には、原水が貯水されて、上層部５０と下層部５１との間には、温度境界層５２（図２参照）が形成されることとなる。
【００４６】
中温抽出路３３には、貯湯槽３ｂの上部鏡板９ｂ（図２参照）と貯湯槽３ａの下部鏡板９ｃ（図２参照）との間を接続している給水管２０の分岐部３８ａ（或いは分岐部３８ｂ〜分岐部３８ｅのいずれか）から分岐された湯が導かれる。
中温抽出路３３から混合弁６へと導かれる湯は、中温抽出路３３上に設けられている遮断弁４１によって、供給の開始・停止が行われる。
【００４７】
次に、各貯湯槽３ａ、３ｂ、３ｃ、３ｄ、３ｅ、３ｆおよび循環用貯湯槽４に注入される湯または給水される原水の各貯湯槽３ａ、３ｂ、３ｃ、３ｄ、３ｅ、３ｆおよび循環用貯湯槽４内の流れについて図１および図２を用いて説明する。
ここでは、複数設けられている貯湯槽３のうち最下流側の貯湯槽３ｆを用いて説明する。なお、各上部鏡板９ｂから注入される湯や下部鏡板９ｃから導かれる湯または原水による各貯湯槽３ａ、３ｂ、３ｃ、３ｄ、３ｅ内または循環用貯湯槽４内の流れについては、貯湯槽３ｆと同様であるためここでは説明を省略する。
【００４８】
ヒートポンプ２によって加熱された高温の湯が給湯管２０ｆを経て、貯湯槽３ｆの上部鏡板９ｂに設けられている注入口７から貯湯槽３ｆ内に注入される。注入口７に対向する貯湯槽３ｆ内には、杯形状の偏向部材１０ａが設けられている。そのため、給湯管２０ｆから貯湯槽３ｆの貯湯槽本体９ａ内に注入された高温の湯は、注入口７から貯湯槽本体９ａ内に導かれる際に偏向部材１０ａによって湯の圧力伝播の方向が偏向部材１０ａに沿った方向に偏向および拡散される。
【００４９】
圧力伝播が偏向および拡散された湯は、偏向部材１０ａに沿って移動して偏向部材１０ａの開口端から導出される。導出された湯の圧力伝播方向には、上部鏡板９ｂの内壁がある。そのため、偏向部材１０ａから導出された湯は、上部鏡板９ｂの内壁に衝突する。上部鏡板９ｂの内壁に衝突した湯は、衝突することによって圧力伝播方向が上部鏡板９ｂの内壁の接線方向に再偏向される。また、上部鏡板９ｂの内壁に衝突した湯は、衝突することによって再拡散される。
【００５０】
このように、再偏向および再拡散された湯は、貯湯槽本体９ａ内に貯湯されている高温の湯からなる上層部５０に合流する。注入口７から貯湯槽本体９ａ内に注入された湯は、偏向部材１０ａにより圧力伝播方向が再偏向および再拡散されることによって上層部５０に合流する速度が減速される。そのため、上層部５０に合流した湯によって貯湯槽本体９ａ内の温度生成層５２が攪拌されることを防止することができる。
【００５１】
一方、第１原水供給路３９から導かれた原水は、貯湯槽３ｆの下部鏡板９ｃに設けられている給水口８から貯湯槽３ｆ内に導かれる。給水口８に対向する貯湯槽３ｆ内には、偏向部材１０ｂが設けられている。そのため、第１原水供給路３９から貯湯槽３ｆの貯湯槽本体９ａ内に給水された原水は、給水口８から貯湯槽本体９ａ内に導かれる際に偏向部材１０ｂによって原水の圧力伝播の方向が偏向部材１０ｂに沿った方向に偏向および拡散される。
【００５２】
圧力伝播が偏向および拡散された原水は、偏向部材１０ｂに沿って移動して偏向部材１０ｂの開口端から導出される。導出された原水の圧力伝播方向には、下部鏡板９ｃの内壁がある。そのため、偏向部材１０ｂから導出された原水は、下部鏡板９ｃの内壁に衝突する。下部鏡板９ｃの内壁に衝突した原水は、衝突することによって圧力伝播方向が下部鏡板９ｃの内壁の接線方向に再偏向される。また、下部鏡板９ｃの内壁に衝突した原水は、衝突することによって再拡散される。
【００５３】
このように、再偏向および再拡散された原水は、貯湯槽３ｆ内に貯水されている原水からなる下層部５１に合流する。給水口８から貯湯槽本体９ａ内に給水された原水は、偏向部材１０ｂにより圧力伝播方向が再偏向および再拡散されることによって下層部５１に合流する速度が減速される。そのため、下層部５１に合流した原水によって貯湯槽本体９ａ内の温度生成層５２が攪拌されることを防止することができる。
【００５４】
以上の通り、本実施形態に係る貯湯槽３およびこれを備えている給湯装置１によれば、以下の作用効果を奏する。
注入口７または給水口８に対向している貯湯槽本体９ａ内に偏向部材１０ａまたは偏向部材１０ｂを設けることとした。これにより、注入口７から貯湯槽本体９ａ内に注入された湯や給水口８から貯湯槽本体９ａ内に給水された原水（水）の流れによる圧力伝播の方向を、偏向部材１０ａまたは偏向部材１０ｂによって上部鏡板９ｂまたは下部鏡板９ｃに向かうように偏向して拡散することができる。そのため、貯湯槽本体９ａ内に注入された湯や貯湯槽本体９ａ内に給水された原水による温度生成層５２の攪拌を抑制することができる。したがって、貯湯槽本体９ａ内に湯を注入したり原水を給水した場合であっても、貯湯槽本体９ａ外へ一定の温度の湯を給湯することができる。
【００５５】
注入口７または給水口８に向かって凹形状となる杯形状を成している偏向部材１０ａまたは偏向部材１０ｂを貯湯槽本体９ａ内に設けることとした。これにより、注入口７または給水口８から貯湯槽本体９ａ内に注入された湯または給水された原水の圧力伝播の方向を偏向部材１０ａまたは偏向部材１０ｂの杯形状に沿った方向に偏向および拡散することができる。そのため、貯湯槽本体９ａ内に注入された湯や給水された原水が貯湯槽本体９ａの上層部５０や下層部５１に合流する速度を減速して、温度生成層５２の攪拌を抑制することができる。したがって、貯湯槽本体９ａ内に湯を注入したり原水を給水した場合であっても、貯湯槽本体９ａ外へ一定の温度の湯を給湯することができる。
【００５６】
水平方向に対して５°から４５°の傾斜を成すように形成されている杯形状の偏向部材１０ａ、１０ｂを用いることとした。偏向部材１０ａ、１０ｂによって偏向および拡散された湯や原水の圧力伝播の方向には、上部鏡板９ｂまたは下部鏡板９ｃが存在する。また、上部鏡板９ｂまたは下部鏡板９ｃは、貯湯槽本体９ａの外側に湾曲している。そのため、偏向および拡散された湯や原水の圧力伝播は、上部鏡板９ｂまたは下部鏡板９ｃに衝突してその方向が上部鏡板９ｂまたは下部鏡板９ｃの接線方向に再偏向および再拡散される。したがって、再偏向および再拡散された湯や原水が貯湯槽本体９ａ内の上層部５０や下層部５１に合流する速度を更に低減して、温度生成層５２の攪拌を一層抑制することができる。
【００５７】
湯水が貯湯されている貯湯槽本体９ａ内に湯を注入したり原水を給水した場合であっても、一定の温度の湯を貯湯槽本体９ａ外へ導出することができる貯湯槽３を用いることとした。したがって、給湯装置１の出湯用端末３６から常に一定温度の給湯をすることができる。
また、中温抽出路３３には、給水管２０の分岐部３８ａから分岐された湯が導かれるとして説明したが、分岐部３８ｂ〜分岐部３８ｅのいずれかから分岐された湯が導かれるものとしても良い。
【符号の説明】
【００５８】
１  給湯装置
３  貯湯槽
９ａ  貯湯槽本体
９ｂ  上部鏡板
９ｃ  下部鏡板
７  注入口
８  給水口
１０ａ、１０ｂ  偏向部材
【図１】
2012037198.tif 000003
【図２】
2012037198.tif 000004